(57)【要約】      （修正有）【課題】発光構造並びにその照明ユニット及び基台を提供する。【解決手段】照明ユニット２は、可撓性材質の基台２０及び発光素子２３を含む。基台２０は、対向する第１側２０ａ及び第２側２０ｂ並びに第１側２０ａ及び第２側２０ｂを連通する収納空間２００を有し、発光素子２３が搭載される。基台２０を可撓性材質より製作することにより、収納空間２００を利用して複数の照明ユニット２を嵌め合わせ、様々な発光構造を組み立てることができる。【選択図】図２Ａ
0003194434.tif 000002
【実用新案登録請求の範囲】
【請求項１】
少なくとも１つの発光素子と、
前記発光素子が搭載され、対向する第１側及び第２側並びに前記第１側及び前記第２側を連通する収納空間を有する、可撓性材質である基台と、
を含むことを特徴とする照明ユニット。
【請求項２】
前記基台の前記第１側に少なくとも１つのピンが形成され、前記ピンに少なくとも１つの導孔が形成され、前記導孔が前記収納空間に連通される請求項１に記載の照明ユニット。
【請求項３】
前記第１側に複数のピンが形成され、前記収納空間に少なくとも１つの仕切りが形成され、前記仕切りにより、前記複数のピンに対応する区画室が形成される請求項１に記載の照明ユニット。
【請求項４】
前記収納空間に少なくとも１つのピンが形成され、前記第１側と前記第２側を連通させるように、前記ピンに少なくとも１つの導孔が形成される請求項１に記載の照明ユニット。
【請求項５】
前記基台は、板を折り畳んでなる請求項１に記載の照明ユニット。
【請求項６】
前記発光素子は、発光ダイオードである請求項１に記載の照明ユニット。
【請求項７】
請求項１に記載の照明ユニットを複数嵌め合わせてなるものを含むことを特徴とする発光構造。
【請求項８】
請求項２に記載の照明ユニットを複数嵌め合わせてなるものを含むことを特徴とする発光構造。
【請求項９】
請求項３に記載の照明ユニットを複数嵌め合わせてなるものを含むことを特徴とする発光構造。
【請求項１０】
請求項４に記載の照明ユニットを複数嵌め合わせてなるものを含むことを特徴とする発光構造。
【請求項１１】
請求項１〜４のいずれかに記載の照明ユニットを嵌め合わせてなるものを含むことを特徴とする発光構造。
【請求項１２】
前記発光素子は、発光ダイオードである請求項７〜１１のいずれかに記載の発光構造。
【請求項１３】
可撓性材質であり、対向する第１側及び第２側並びに前記第１側及び前記第２側を連通する収納空間を有することを特徴とする発光素子を搭載するための基台。
【請求項１４】
前記第１側に少なくとも１つピンが形成され、
前記収納空間に連通するように、前記ピンに少なくとも１つの導孔が形成される請求項１３に記載の基台。
【請求項１５】
前記第１側に複数のピンが形成され、前記収納空間に少なくとも１つの仕切りが形成され、前記仕切りにより、前記複数のピンに対応する区画室が形成される請求項１３に記載の基台。
【請求項１６】
前記収納空間に少なくとも１つのピンが形成され、
前記第１側と前記第２側を連通させるように、前記ピンに少なくとも１つの導孔が形成される請求項１３に記載の基台。
【請求項１７】
前記基台は、板を折り畳んでなる請求項１３に記載の基台。
【考案の詳細な説明】
【技術分野】
【０００１】
本考案は、照明ユニット及び基台に関し、特に各種の発光構造を任意に構成することができる照明ユニットに関するものである。
【背景技術】
【０００２】
ここ数年来、発光ダイオード（Ｌｉｇｈｔ−Ｅｍｉｔｔｉｎｇ  Ｄｉｏｄｅ、ＬＥＤ）は急速に発展し、従来のタングステン電球、白熱電球、蛍光灯及びフラッシュ電球等の照明灯具に取って代わりつつある。それは主として、ＬＥＤの電力消費が比較的低く、かつ、ＬＥＤが輝度、色彩及び切り替え速度において好ましい効果を有しているからである。従って、室内又は室外の照明に応用された場合又は案内機能を提供する交通信号に応用された場合、効果を十分発揮することができる。
【考案の概要】
【考案が解決しようとする課題】
【０００３】
図１に示すように、台湾実用新案第Ｍ３８２５５３号は、ＬＥＤランプを広告看板として使用する技術に関し、まず方形パネル１０上に等ピッチの貫通孔１００を複数開設し、さらに複数のＬＥＤランプ１１をそれらの貫通孔１００に挿入して所要の文字又はパターンに配列するものである。
【０００４】
しかしながら、従来のＬＥＤを広告看板とする技術においては、パネル１０の面積範囲や形状が一定であるため、それらのＬＥＤランプ１１がそれらの貫通孔１００の数に制約される。例えば、それらの貫通孔１００の数が不足している場合、それらのＬＥＤランプ１１は、所定の文字又はパターンを表示することができなくなる。
【０００５】
従って、上述した従来技術の問題を解決することは、現在極めて重要な課題となっている。
【０００６】
そこで、以上のとおりの事情に鑑み、本考案は、各種の発光構造を任意に構成することができる照明ユニットを提供することを課題とする。
【課題を解決するための手段】
【０００７】
上記の課題を解決するために、本考案は、可撓性材質の基台に、第１側と第２側とを連通する収納空間が形成され、それによって基台に発光素子が少なくとも１つ搭載される、照明ユニットを提供する。
【０００８】
以上から分かるように、本考案の照明ユニットは、可撓性材質により基台が製作されることから、収納空間を利用して複数の照明ユニットを嵌め合わせることにより、各種の発光構造を構成することができる。すなわち、本考案の照明ユニットは、どのような外部環境にも制約されることはなく、例えば従来技術のパネルに制限されない。
【図面の簡単な説明】
【０００９】
【図１】従来のＬＥＤランプ広告看板を示す斜視図である。
【図２Ａ】本考案に係る照明ユニットの第１実施例を示す斜視図である。
【図２Ｂ】本考案に係る照明ユニットの第２実施例を示す斜視図である。
【図２Ｃ】本考案に係る照明ユニットの第３実施例を示す斜視図である。
【図３Ａ】本考案に係る発光構造の第１実施例を示す斜視図である。
【図３Ｂ】本考案に係る発光構造の第２実施例を示す斜視図である。
【図３Ｃ】本考案に係る発光構造の第３実施例を示す斜視図である。
【図４Ａ】本考案に係る発光構造の第４実施例を示す斜視図である。
【図４Ｂ】図４Ａの組合わせ過程を示す断面図である。
【図４Ｃ】図４Ａの組合わせ過程を示す断面図である。
【図５Ａ】本考案の発光構造の第５実施例の組合わせ過程を示す斜視図である。
【図５Ｂ】本考案の発光構造の第５実施例の組合わせ過程を示す斜視図である。
【図５Ｃ】図５Ｂの断面図である。
【図６】本考案の可撓性材質の基台の他の実施例による製法を示す立体フローチャートを示す。
【考案を実施するための形態】
【００１０】
以下、具体的な実施例を用いて本考案の実施形態を説明する。この技術分野に精通した者は、本明細書の記載内容によって簡単に本考案のその他の利点や効果を理解できる。
【００１１】
また、明細書に添付された図面に示す構造、比例、寸法等は、この技芸に周知する者が理解できるように明細書の記載内容に合わせて用いられるものであり、本考案の実施を制限するものではないため、技術上の実質的な意味を有せず、いかなる構造の修正、比例関係の変更又は寸法の調整も、本考案の効果及び目的に影響を与えるものでない限り、いずれも本考案に開示された技術内容の範囲に入る。また、明細書に記載の例えば「上」、「第１」、「第２」、「第３」、「一」等の用語は、説明が容易に理解できるようにするためのものに過ぎず、本考案の実施可能な範囲を限定するものではなく、その相対関係の変更又は調整は、技術内容の実質的変更がない限り、本考案の実施可能な範囲と見なされる。
【００１２】
図２Ａは、本考案に係る照明ユニット２の第１実施例を示す斜視図である。図２Ａに示すように、照明ユニット２は、可撓性材質の基台２０と、複数の発光素子２３とを含む。
【００１３】
可撓性材質は、ポリプロピレン（ＰＰ）、ポリエチレン・テレフタレート（ＰＥＴ）又は任意の容易に屈曲可能なプラスチック材料である。
【００１４】
基台２０は、対向する第１側２０ａ及び第２側２０ｂ、並びに第１側２０ａ及び第２側２０ｂを連通する収納空間２００を有する。
【００１５】
発光素子２３は、発光ダイオード（ＬＥＤ）又は各種の電球であり、収納空間２００に収納される。
【００１６】
この実施例において、基台２０の形状は、円形、矩形、柱形、板形又は不規則形状等の各種立体構造であってもよく、特に制限されるものではない。
【００１７】
また、基台２０は、真空成形方式又は射出成形方式により、可撓性材質を変形させることで形成されるため、基台２０の各表面の厚さｔは極薄である。
【００１８】
また、発光素子２３の種類は制限されない。
【００１９】
図２Ｂは、本考案に係る照明ユニット２’の第２実施例を示す斜視図である。本実施例の第１実施例との相違は、ピンが新たに追加された点にある。
【００２０】
図２Ｂに示すように、照明ユニット２’はさらに１つのピン２１を含む。ピン２１は、基台２０の第１側２０ａに形成されている。また、ピン２１に少なくとも１つの導孔２１０が形成されている。これにより、導孔２１０が収納空間２００に連通される。
【００２１】
また、導孔２１０には、回路（図示せず）が挿通され、各発光素子２３に電気的に接続される。
【００２２】
また、ピン２１の形状は、円形、矩形、柱形、板形又は不規則状等の各種立体構造であってもよく、特に制限されるものではない。
【００２３】
図２Ｃは、本考案に係る照明ユニット２”の第３実施例を示す斜視図である。本実施例の第２実施例との相違点は、ピンの位置にある。
【００２４】
図２Ｃに示すように、１つのピン２２が収納空間２００に形成され、少なくとも１つの導孔２２０がピン２２に形成されることにより、導孔２２０が第１側２０ａと第２側２０ｂとに連通される。
【００２５】
また、発光素子２３は、導孔２２０の中に位置する。
【００２６】
図３Ａは、本考案に係る発光構造３の第１実施例を示す斜視図である。本実施例において、図２Ａに示す照明ユニット２を複数嵌め合わせて、発光構造３を製造する。
【００２７】
図３Ａに示すように、１つの基台２０の第１側２０ａを、もう１つの基台２０の収納空間２００の中に嵌め合わせる。
【００２８】
図３Ｂは、本考案に係る発光構造３’の第２実施例を示す斜視図である。本実施例において、図３Ｂに示す照明ユニット３ａ、３ｂを複数嵌め合わせて、発光構造３’を製造した。照明ユニット３ａ、３ｂでは、基台２０の第１側２０ａにピン３１が複数形成される。具体的には、ピン３１は、等間隔のマトリックスにより配列される。但し、ピン３１の配列方式はこの方式に限定されない。
【００２９】
図３Ｂに示すように、１つの照明ユニット３ａのピン３１を、もう１つの照明ユニット３ｂの導孔３１０に嵌め合わせる。
【００３０】
また、ピン３１の各側面３１ａが傾斜状であるため、ピン３１は錐体状に形成されている。これにより、照明ユニット３ａ、３ｂを嵌め合わせること、又は、照明ユニット３ａ、３ｂを分離することが容易となる。
【００３１】
また、発光素子２３は、ピン３１に設けられても良い。
【００３２】
図３Ｃは、本考案に係る発光構造３”の第３実施例を示す斜視図である。本実施例において、図３Ｃに示す照明ユニット３ｃ、３ｄを複数嵌め合わせて、発光構造３”を製造する。照明ユニット３ｃ、３ｄでは、収納空間２００の中にピン３２が複数形成される。具体的には、ピン３２は、等間隔のマトリックスにより配列される。但し、ピン３２の配列方式はこの方式に限定されない。
【００３３】
図３Ｃに示すように、１つの照明ユニット３ｃのピン３２を、もう１つの照明ユニット３ｄの導孔３２０に嵌め合わせる。
【００３４】
また、ピン３２の各側面３２ａが傾斜状であるため、ピン３２は錐体状に形成されている。これにより、照明ユニット３ｃ、３ｄを嵌め合わせること、又は、照明ユニット３ｃ、３ｄを分離することが容易となる。
【００３５】
また、発光素子２３は、ピン３２に設けられても良い。
【００３６】
図４Ａ乃至図４Ｃは、本考案に係る発光構造４の第４実施例を示す斜視図である。本実施例において、図３Ｂに示す照明ユニット３ａ、３ｂ及び図３Ｃに示す照明ユニット３ｃ、３ｄを嵌め合わせた。
【００３７】
図４Ａ乃至図４Ｃに示すように、発光構造４は、可撓性材質の第１基台４０、可撓性材質の第２基台４０’及び少なくとも１つの発光素子２３を含む。
【００３８】
第１基台４０は、第１収納空間４００を有し、第１収納空間４００の上に第１ピン４１が複数形成されている。第１ピン４１は少なくとも１つの貫通する第１導孔４１０を有する。これにより、第１導孔４１０が第１収納空間４００に連通される。
【００３９】
第２基台４０’は、第２収納空間４００’を有し、第２収納空間４００’の中に第２ピン４２が複数形成されている。第２ピン４２は少なくとも１つの貫通する第２導孔４２０を有する。これにより、第２ピン４２が第１導孔４１０に嵌め合わされ、第２基台４０’が第１収納空間４００に位置するようにする。
【００４０】
発光素子２３は、第１導孔４１０又は第２収納空間４００’に収納される。
【００４１】
図５Ａ乃至図５Ｃは、本考案に係る発光構造５の第５実施例を示す斜視図である。図３Ａに示す照明ユニット３、図３Ｂに示す照明ユニット３ａ、３ｂ及び図３Ｃに示す照明ユニット３ｃ、３ｄを嵌め合わせた。
【００４２】
図５Ａ乃至図５Ｃに示すように、発光構造５は、可撓性材質の第１基台４０、可撓性材質の第２基台４０’、 可撓性材質の第３基台５０及び少なくとも１つの発光素子２３を含む。
【００４３】
第１基台４０は、第１収納空間４００を有し、第１収納空間４００の上に第１ピン４１が複数形成されている。第１ピン４１は少なくとも１つの貫通する第１導孔４１０を有する。これにより、第１導孔４１０が第１収納空間４００に連通される。
【００４４】
第２基台４０’は、第２収納空間４００’を有し、第２収納空間４００’の中に第２ピン４２が複数形成されている。第２ピン４２は少なくとも１つの貫通する第２導孔４２０を有する。
【００４５】
第３基台５０は、対向する第１側５０ａ及び第２側５０ｂ、並びに第１側５０ａ及び第２側５０ｂを連通する第３収納空間５００を有する。第１基台４０を第１側５０ａに被せて（すなわち第３基台５０の第１側５０ａを第１収納空間４００に嵌める）、第１ピン４１を第１側５０ａに露出させ、第２基台４０’を第３収納空間５００に嵌め、第２ピン４２が第３収納空間５００の中に位置するようにする。具体的には、第２ピン４２は、第１導孔４１０の中に嵌められていない。
【００４６】
発光素子２３は、第１導孔４１０又は第３収納空間５００の中に収納される。具体的には、各発光素子２３は、回路２３０により、互いに電気的に接続される。
【００４７】
照明構造における上記各実施例において、基台は、可撓性材質により製作されるため、嵌め合わせる時に、各基台の側面を折り曲げることができ、収納空間に嵌めるのが容易である（図５Ｃ参照）。
【００４８】
真空成形方式又は射出成形方式の外、図６に本考案の可撓性材質の基台６０の他の実施例による製法の立体フローチャートを示す。
【００４９】
図６に示すように、まず可撓性材質の矩形の板６０’を用意し、真空成形方式又は射出成形方式により、ピン６１を板６０’の中間領域に形成し、板６０’に複数の切り欠き６００’と切り溝６０１’を切り出した後、図に示すステップにしたがい、板６０’を折り畳み、基台６０を形成する。その後、必要に応じて、複数の仕切り６４を切り溝６０１’に挿し込み、収納空間６００においてピン６１に対応する区画室６０１を形成する。
【００５０】
上述した製法によれば、本考案の可撓性材質の基台６０は、材料の浪費を避けることができる。
【００５１】
以上により、本考案は、可撓性材質を応用し、軽く、薄く、コップを重ね合わせるように、照明ユニットを嵌め合わせることができ、発光構造の重さを軽くするだけでなく、発光構造の運送及び取り付けにも便利であるため、省エネルギー・低炭素、リサイクル・リユース及び使いやすい等の効果を得ることができる。
【００５２】
本明細書及び実施例は、本考案の原理とその効果を例示的に説明するものに過ぎず、本考案を限定するものではない。この技芸に精通する者は、本考案の主旨を逸脱しない範囲において、上述した実施例に種々の修正を施すことが可能であり、そうした修正も本考案の範囲に含まれる。本考案の権利保護範囲は、実用新案登録請求の範囲の通りである。
【符号の説明】
【００５３】
１０  パネル
１００  貫通孔
１１  ＬＥＤランプ
２、２’、２’’、３ａ、３ｂ、３ｃ、３ｄ  照明ユニット
２０、６０  基台
２０ａ、５０ａ  第１側
２０ｂ、５０ｂ  第２側
２００、６００  収納空間
２１、２２、３１、３２、６１  ピン
２１０、２２０、３１０、３２０  導孔
２３  発光素子
２３０  回路
３、３’、３’’、４、５  発光構造
３１ａ、３２ａ  側面
４０  第１基台
４００  第１収納空間
４１  第１ピン
４１０  第１導孔
４０’  第２基台
４００’  第２収納空間
４２  第２ピン
４２０  第２導孔
５０  第３基台
５００  第３収納空間
６０’  板
６００’  切り欠き
６０１’  切り溝
６０１  区画室
６４  仕切り
ｔ  厚さ
【図１】
0003194434.tif 000003
【図２Ａ】
0003194434.tif 000004
【図２Ｂ】
0003194434.tif 000005
【図２Ｃ】
0003194434.tif 000006
【図３Ａ】
0003194434.tif 000007
【図３Ｂ】
0003194434.tif 000008
【図３Ｃ】
0003194434.tif 000009
【図４Ａ】
0003194434.tif 000010
【図４Ｂ】
0003194434.tif 000011
【図４Ｃ】
0003194434.tif 000012
【図５Ａ】
0003194434.tif 000013
【図５Ｂ】
0003194434.tif 000014
【図５Ｃ】
0003194434.tif 000015
【図６】
0003194434.tif 000016